【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
少なくとも１種の触媒、少なくとも１種の銅系熱安定剤および少なくとも１種のオリゴ−またはポリカルボジイミドと、少なくとも１種のポリアミドを含むマトリックスとの、良好な溶融粘度を示し、変形において安定な組成物を形成するための使用。
【請求項２】
前記組成物の前記溶融粘度が、１分から少なくとも５分の間で実質的に一定であることを特徴とする、請求項１に記載の使用。
【請求項３】
前記組成物が耐熱酸化性をさらに示すことを特徴とする、請求項１または２に記載の使用。
【請求項４】
前記組成物が、２７０℃、１０ｒａｄ／秒において窒素をフラッシュしながら、直径２５ｍｍの２枚の平行平板の間で変形率５％および剪断１０秒−１で振動レオロジーにより測定した場合、約１３０００から約２３０００Ｐａ．ｓの溶融粘度を示すことを特徴とする、請求項１から３の一項に記載の使用。
【請求項５】
前記溶融粘度が、２７０℃、１０ｒａｄ／秒において窒素をフラッシュしながら、直径２５ｍｍの２枚の平行平板の間で変形率５％および剪断１０秒−１で振動レオロジーにより測定した場合、少なくとも３０分間、約１３０００から約２３０００Ｐａ．ｓで構成されることを特徴とする、請求項４に記載の使用。
【請求項６】
触媒の重量割合が、組成物の総重量に対して、約５０ｐｐｍから約５０００ｐｐｍで構成されることを特徴とする、請求項１から５の一項に記載の使用。
【請求項７】
触媒が、リン酸（Ｈ３ＰＯ４）、亜リン酸（Ｈ３ＰＯ３）、次亜リン酸（Ｈ３ＰＯ２）またはこれらの混合物から選択されることを特徴とする、請求項１から６の一項に記載の使用。
【請求項８】
銅系熱安定剤コムの重量割合が、組成物の総重量に対して、約０．０５から約１％で構成されることを特徴とする、請求項１から７の一項に記載の使用。
【請求項９】
前記銅系熱安定剤が、ヨウ化カリウムとヨウ化銅との混合物であることを特徴とする、請求項８に記載の使用。
【請求項１０】
オリゴ−またはポリカルボジイミドの重量割合が、組成物の総重量に対して、約０．１から約３％で構成されることを特徴とする、請求項１から９の一項に記載の使用。
【請求項１１】
オリゴ−またはポリカルボジイミドが、Ｓｔａｂｉｌｉｚｅｒ、Ｓｔａｂａｘｏｌ（Ｒ）、またはこれらの混合物から選択されることを特徴とする、請求項１０に記載の使用。
【請求項１２】
熱可塑性ポリマーが、脂肪族ポリアミド、脂環式ポリアミド、芳香族ポリアミドまたはこれらの混合物から選択されるポリアミドであることを特徴とする、請求項１から１１の一項に記載の使用。
【請求項１３】
ポリアミドが、ＩＳＯ１１３５７−３（２０１３）規格に準拠して測定された、１６０℃から２９０℃の融点を示すことを特徴とする、請求項１２に記載の使用。
【請求項１４】
ポリアミドが、ＰＡ１１、ＰＡ１２、１１／１０．Ｔ、ＰＡ１０．１０、ＰＡ１０．１２および９０％超の単位１１または９０％超の単位１２のいずれかを有するコポリアミド１１／１２から選択されることを特徴とする、請求項１２または１３に記載の使用。
【請求項１５】
組成物の総重量に対して、
ａ．２０．５から９９．８４５重量％の、請求項１２から１４の一項に記載の少なくとも１種のポリアミド；
ｂ．０．００５から０．５重量％の少なくとも１種の触媒；
ｃ．０．０５から１重量％の少なくとも１種の銅系熱安定剤；
ｄ．０．１から３重量％の少なくとも１つのオリゴ−またはポリカルボジイミド；
ｅ．０から１５％の少なくとも可塑剤；
ｆ．０から３０％の少なくとも１種のポリオレフィン；
ｇ．０から３０％の少なくとも１種の添加剤；
を含むことを特徴とする、請求項１に記載の変形において安定な粘性組成物。
【請求項１６】
ａ．６４．５から９８．７４５重量％の、請求項１２から１４の一項に記載の少なくとも１種のポリアミド；
ｂ．０．００５から０．５重量％の少なくとも１種の触媒；
ｃ．０．０５から１重量％の少なくとも１種の銅系熱安定剤；
ｄ．０．１から３重量％の少なくとも１種のオリゴ−またはポリカルボジイミド；
ｅ．１から３０％の少なくとも１種のポリオレフィン；
ｆ．０．１から１％の少なくとも１種の添加剤、
からなることを特徴とする、請求項１５に記載の組成物。
【請求項１７】
ａ．４９．５０から９７．７４５重量％の、請求項１２から１４の一項に記載の少なくとも１種のポリアミド；
ｂ．０．００５から０．５重量％の少なくとも１種の触媒；
ｃ．０．０５から１重量％の少なくとも１種の銅系熱安定剤；
ｄ．０．１から３重量％の少なくとも１種のオリゴ−またはポリカルボジイミド；
ｅ．１から１５％の少なくとも１種の可塑剤；
ｆ．１から３０％の少なくとも１種のポリオレフィン；
ｇ．０．１から１％の少なくとも１種の添加剤、
からなることを特徴とする、請求項１５に記載の組成物。
【請求項１８】
ポリアミドが、脂肪族ポリアミド、脂環式ポリアミド、芳香族ポリアミドまたはこれらの混合物から選択されることを特徴とする、請求項１５から１７の一項に記載の組成物。
【請求項１９】
ポリアミドが、ＩＳＯ１１３５７−３（２０１３）規格に準拠して測定された１６０℃から２９０℃の融点を示すことを特徴とする、請求項１５から１８の一項に記載の組成物。
【請求項２０】
ポリアミドが、ＰＡ１１、ＰＡ１２、１１／１０．Ｔ、ＰＡ１０．１０、ＰＡ１０．１２および９０％超の単位１１または９０％超の単位１２のいずれかを有するコポリアミド１１／１２から選択されることを特徴とする、請求項１５から１９の一項に記載の組成物。
【請求項２１】
触媒が、リン酸（Ｈ３ＰＯ４）、亜リン酸（Ｈ３ＰＯ３）、次亜リン酸（Ｈ３ＰＯ２）またはこれらの混合物から選択されることを特徴とする、請求項１５から２０の一項に記載の組成物。
【請求項２２】
銅系熱安定剤が、ヨウ化カリウムとヨウ化銅との混合物であることを特徴とする、請求項１５から２１の一項に記載の組成物。
【請求項２３】
オリゴ−またはポリカルボジイミドが、Ｓｔａｂｉｌｉｚｅｒ、Ｓｔａｂａｘｏｌ（Ｒ）、またはこれらの混合物から選択されることを特徴とする、請求項１５から２２の一項に記載の組成物。
【請求項２４】
ガスの輸送もしくは海底石油鉱床の開発を目的としたフレキシブルパイプ、自動車用、冷凍用、空調用、または空気を供給するためのダクト用のフレキシブルパイプ、中空体、成形品またはスポーツ品である、構造物を形成するための、請求項１５から２３の一項に記載の組成物の使用。
【請求項２５】
ガスの輸送または海底石油鉱床の開発を目的としたフレキシブルパイプが、良好な耐熱酸化性および耐加水分解性を示すことを特徴とする、請求項２４に記載の使用。
【請求項２６】
パイプが、２０年間少なくとも７０℃の作業温度を示すことを特徴とする、請求項２４または２５に記載の使用。
【請求項２７】
組成物が、請求項１６および１８から２３の一項に記載の組成物であり、且つ構造物が、ガスの輸送を目的としたパイプであることを特徴とする、請求項２４から２６の一項に記載の使用。
【請求項２８】
組成物が、請求項１７から２３の一項に記載の組成物であり、且つ構造物が、海底石油鉱床の開発を目的としたフレキシブルパイプであることを特徴とする請求項２４から２７の一項に記載の使用。
【請求項２９】
組成物が、請求項１７から２３の一項に記載の組成物であり、且つ構造物が、自動車用、冷凍用、空調用、または空気を供給するためのダクト用のフレキシブルパイプであることを特徴とする、請求項２４から２７の一項に記載の使用。
【請求項３０】
請求項２４に記載の、ガスの輸送もしくは海底石油鉱床の開発を目的とした、または自動車用、冷凍用、空調用もしくは空気を供給するための、請求項１５から２３の一項に記載の組成物の少なくとも１つの層を含むフレキシブルパイプ。
【請求項３１】
前記層が、流体と接触する層であり、且つ組成物が、ガスの輸送を目的とする、請求項１６および１８から２３の一項に記載の組成物であることを特徴とする、請求項３０に記載のフレキシブルパイプ。
【請求項３２】
少なくとも１つの第２の層をさらに備え得ることを特徴とする、請求項３１に記載のフレキシブルパイプ。
【請求項３３】
前記層が、海底石油鉱床の開発を目的としたフレキシブルパイプの内層であり、且つ組成物が請求項１７から２３の一項に記載の組成物であることを特徴とする、請求項３０に記載のフレキシブルパイプ。
【請求項３４】
前記層が、海底石油鉱床の開発を目的としたフレキシブルパイプの外層であり、且つ組成物が請求項１７から２３の一項に記載の組成物であることを特徴とする、請求項３０に記載のパイプ。
【請求項３５】
請求項１７から２３の一項に記載の組成物からなる内層および外層を含み、且つ前記内層および外層が本発明の同じ組成物からなるか、またはそれぞれが本発明の異なる組成物からなることを特徴とする、請求項３０に記載のパイプ。